(57)【特許請求の範囲】
【請求項１】
石鹸を載置させ収納する石鹸容器であって、
外周が略楕円形状を成し、中央付近が窪んだ凹型形状であって、上面全体が前記中央付近に向かって傾斜している石鹸収納部と、
前記石鹸収納部の下に配置され、前記石鹸から流れ落ちた水を溜める水受け皿と、
前記石鹸収納部の底付近において、前記石鹸を支持するために、正方形の頂点位置に高さが同一となるように配置される半球形状を成す４つの支持体Ａと、
前記支持体Ａよりも低く、前記支持体Ａを２つずつ対称に振り分ける位置に配置される溝部であって、該溝部によって同じ側に振り分けられた２つの前記支持体Ａの外側端部間の長さと略同じ長さを備え、上面全体が中央底部付近に向かって傾斜している前記溝部と、
前記溝部の前記底部中央付近に配置され、前記水受け皿の上部空間及び前記石鹸収納部の上部空間を連通させる開口部である水抜き穴と、
鋭角部分のない緩やかな曲線のＭ字型形状を成し、上方２つの頂点の高さが異なり、該上方２つの頂点のうち高い方の下に前記石鹸を挿入し立て掛けるための空間を備え、前記石鹸収納部の上に着脱自在に設置される、前記石鹸を支持するための支持体Ｂと、を有し、
前記支持体Ｂが、前記溝部の向きに沿って、前記支持体Ｂの中央付近に位置する下に凸である部位の端部が前記水抜き穴の中に該水抜き穴よりも低く配置されるように設置可能であると共に、前記溝部を横切る向きにも設置可能であることを特徴とする石鹸容器。
【発明の詳細な説明】
【技術分野】
【０００１】
この発明は、洗面、浴室、厨房等の各種生活環境にある固形石鹸を収納する石鹸容器の技術に関する。
【背景技術】
【０００２】
従来、石鹸容器の形状は、濡れた石鹸を寝かせて置く単機能の皿型形状が大半を占めている。皿型石鹸容器が長期間主流を占めている理由は、多様性に富んだ形状の石鹸を手軽に収納できるという点において、最も使い勝手が良いためである。構造も簡素で、低価格でもある。
【０００３】
その一方で、皿型石鹸容器に収納された石鹸から発生するぬめりによって、石鹸を掴んだときの感触が悪い、石鹸が受け皿面に張り付いて取れない、石鹸受け皿に石鹸カスが多量にこびりついて固まってしまい、手入れが面倒等の諸問題が起きている。さらに、ユニットバスや浴室等の湿度の高い設置環境では発生するぬめりが極端に増えるため、多くの使用者が不便を感じている。また、収納する度に無駄なぬめりとなって溶け出してしまっては、石鹸の消耗も速めてしまう。
【０００４】
敏感肌や健康上の理由のために、単価が１０００円以上もする高価な天然素材の石鹸を愛用する人も多く、こうなると単に使用上の不便に留まらず、経済的な損失も伴う。ぬめりを発生させる主な原因は、収納された石鹸表面と石鹸受け皿との間に形成される閉塞された空間の作用によるものである。
【０００５】
ここで皿型石鹸容器の形状には、大別して平らな形状を持つ平皿型容器と、曲面を用いた椀型容器の２つの型がある。閉塞された空間を形成させる典型的な例として、平面を有する石鹸を平皿型容器に収納した場合や、曲面を有する石鹸を椀型容器に収納した場合がある。上記のような場合、濡れた石鹸表面の形状と石鹸受け皿の形状とが一致して密着してしまうことで、当該部分の通気性が無くなり、逃げ場所をなくした水分が長時間閉じ込められて石鹸をふやけさせ、多量のぬめりを発生させてしまう。ふやけてやわらかくなった石鹸表面が、自重によって石鹸受け皿の形状に合わせて変形することで、石鹸受け皿との密着度がより一層増して余計に乾き難くなるという現象も起こる。
【０００６】
また、水受け皿を使った石鹸容器には、水切れを良くするために石鹸受け皿の水抜き穴を大きくしたものもあるが、これも石鹸が石鹸受け皿に密着してしまうと、水受け皿に溜まった水から出る水蒸気の逆流によって石鹸下部がふやけてしまう。
【０００７】
吸盤タイプの石鹸容器は、水受け皿が無く壁面に設置するために水切れが良く乾きやすいと一般に思われがちだが、石鹸が石鹸受け皿に密着する場合には、水受け皿を使う石鹸容器と同様にぬめりが発生するので、密着した箇所は渇きが遅く、石鹸が乾いたとしても受け皿面に張り付いて取れない等の問題が起こる。前記の問題を解決するために、従来、諸提案がある。
【０００８】
例えば、特許文献１では、石鹸受け皿に多くの小さな突起を配置して、石鹸下部の通気性を良くしようとする提案がされている。また、特許文献２では、石鹸を立てて収納することで水切れを良くし乾燥を速めようとする提案がされている。さらに、特許文献３では、２本の柱を利用して石鹸を立てる形式が提案されている。
【先行技術文献】
【特許文献】
【０００９】
【特許文献１】実用新案登録第３０２４８５４号公報
【特許文献２】特開平１０−２０１６５８号公報
【特許文献３】意匠登録第５４８７９７号公報
【発明の概要】
【発明が解決しようとする課題】
【００１０】
しかしながら、上記の技術には幾つかの問題点が見受けられる。特許文献１では、突起の数が多く、先端が小さく尖っているために、濡れて軟らかくなった石鹸の表面を削るおろし金の作用を与えてしまう。また、収納された石鹸が削られ易く、石鹸カスが多く出て水抜き穴を塞ぎ、乾くと固まってしまい手入れが面倒となる。さらに、突起の間隔が狭いので、突起の隙間に詰まったぬめりや水滴が通気を妨げる要因になり、前述の閉塞された空間を形成し易い。
【００１１】
特許文献２では、限られた巾の溝に定まった形状の石鹸を嵌め込んで置く形式なので、大きなサイコロ型等の、溝の巾を超えるような石鹸は構造上置くことができない。また、小さくなった石鹸が溝に詰まってしまい取り難い。さらに、大きな問題点は、立てた石鹸の側面と下側になる面に石鹸を包み込むように壁面があり、収納された石鹸に壁面が近接していることである。面によって構成された石鹸収納部は、収納される石鹸の形状が変化すると面接触が起こり、通風孔や通風路を塞いで前述の閉塞された空間を形成する。特に下側の面は一番水気が溜まり易く、ぬめりが発生し易い場所である。
【００１２】
特許文献３では、石鹸が転がらないように石鹸下面を固定する構造が無いため、円形や小さくなった石鹸等、様々な形状の石鹸を位置ずれなく安定した状態で立てて収納するには困難がある。また、皿型石鹸容器として使う場合、従来のものと同じなので、石鹸と石鹸受け皿が密着した場合、前述の閉塞された空間を形成し易く、ぬめりが発生し易い。
【００１３】
市販されている石鹸の大きさは、バスサイズから使い切りミニサイズ迄、大小様々である。石鹸の形状は、おもに長方形、楕円形、円形が多いが、球体に近いものや、大きなサイコロ型から、はては粗品に配られる干支の人形型までと多様性に富んでいる。しかも、元来石鹸は使用する度に消耗し、小さくなって溶けたり折れたりして常に変形するものなので、定まった形状は無いといえる。また、ぬめりに気を使う高価な石鹸ほど円形や大きなサイコロ型といった、従来の皿型石鹸容器でなければ収納し難い形状が多い。
【００１４】
従来品は、上記の市販されている石鹸の大小様々で多様性に富んだ形状に対応することができないため、収納できる石鹸が限定されてしまう。また、石鹸カスや、石鹸を包み込む壁面のために前述の閉塞された空間を形成し易く、ぬめりが発生してしまう。さらに、柱で石鹸を立てる形式を除き、収納形式が単一の機能に限定されていて、石鹸の使用目的や石鹸容器の設置環境に応じ、乾き易い収納機能を使用者が自由に選択することができない。
【００１５】
スーパーやドラッグストアの石鹸コーナーには、消費者が迷うほど多種多様で、使うのが勿体無くなる程の色彩デザインともに美しい高品質な固形石鹸が並んでいる。最近では、外資系の高級手作り石鹸の企業も市場に参入して、全国規模で店舗展開を進めている。デザイン石鹸やアロマソープ等の見た目や香りを楽しむ目的の石鹸も人気がある。高価ではあるが高品質の石鹸を大切に使いたいと思う消費者が増えている。また、「ＥＣＯライフ」や「自然派指向」等の言葉の定着とともに、環境にも優しい固形石鹸の利点が見直されている。
【００１６】
その反面、市販の石鹸容器は長期に渡って上述したぬめりの問題を解決するに到っておらず、一部の高級なソープトレイでさえ満足な機能を有するとは言い難い状況である。ぬめりに気を使う高価な石鹸の使用者は、小さめの洗顔用石鹸であれば置く方向や位置を変えてみたり、バスサイズの大きな石鹸であれば石鹸の上面が乾くのを待ってからひっくり返す等の手間のかかる対策を繰り返さざるを得ないことになる。石鹸を大切に使いたくとも、手軽な解決法を見つけられない現状といえる。
そこで、本発明は、収納する石鹸が傷つき難く、乾き易い多機能型石鹸容器を提供することを目的とする。
【課題を解決するための手段】
【００１７】
開示する多機能型石鹸容器の一形態は、皿型の石鹸収納部と収納した石鹸を支持するための支持体Ａとを備える石鹸容器であって、前記支持体Ａは前記石鹸収納部に配置され、収納される石鹸の外周より内側の重心を囲むとともに前記石鹸の重量を均等に受け止める位置に配置され、前記支持体Ａ上に収納された石鹸と前記石鹸収納部との間に換気用空間を形成する高さがあることを特徴とする。
【００１８】
開示する多機能型石鹸容器の一形態は、さらに、着脱式支持体Ｂの装着部を配置した石鹸収納部と着脱式支持体Ｂとを備え、前記着脱式支持体Ｂは前記石鹸収納部に配置した装着部に装着することで前記石鹸収納部に固定され、また前記着脱式支持体Ｂは石鹸を立てかけて収納するための支持部を有することを特徴とする。
開示する多機能型石鹸容器の一形態は、さらに、前記支持体Ａを着脱式とすることを特徴とする。
【発明の効果】
【００１９】
開示する多機能型石鹸容器において、皿型の石鹸収納部に配置された支持体Ａは、収納した石鹸の下面を持ち上げて支える高さを有するので、石鹸を支持体Ａ上に置くことで、石鹸を石鹸収納部に接触させずに収納することができる。これにより、収納された石鹸と石鹸収納部の間に換気用空間が形成され、収納した石鹸と石鹸収納部との間の自然換気が円滑になる。
【００２０】
開示する多機能型石鹸容器において、支持体Ａは収納される石鹸の外周より内側の重心付近で、かつ収納される石鹸の重量を均等に受け止める位置に配置されているので、多様な形状を有する石鹸を安定して収納することができる。ぬめりに気を使う高価な石鹸である円形や大きなサイコロ型の石鹸や、球体等の特殊な形状も含めた多様な形状を持つ石鹸は、皿型石鹸容器の収納機能で乾き易く寝かせて収納することができる。
【００２１】
開示する多機能型石鹸容器は、着脱式支持体Ｂを石鹸収納部に設けた装着部に固定し、支持部に石鹸側面を立てかけながら石鹸下部を石鹸収納部に配置された支持体Ａ上に置くと、支持体Ａが収納した石鹸の下面を持ち上げて支え、石鹸を石鹸収納部に接触させずに収納することができる。これにより、石鹸周囲に換気用空間が形成され、収納した石鹸と石鹸収納部との間の換気が円滑になるため、立てて収納した石鹸が乾き易くなる。
【００２２】
また、支持体Ａが立てて収納した石鹸下面の位置ずれを防ぎながら持ち上げて支え、滑り易い石鹸の重量を均等に受け止めるので、サイコロ型や球体を除く多様な形状を有する石鹸を転倒させずに収納することができる。
開示する多機能型石鹸容器は、サイコロ型や球体を除く、立てればより乾き易くなる石鹸は立てて収納することができる。
【００２３】
開示する多機能型石鹸容器は、支持体Ａを着脱式にすることで、支持体Ａの形状や材料や色彩の変更が可能である。これにより、石鹸容器の設置場所や使用目的に合わせて、支持体Ａの石鹸支持方式を変更することができる。また、着脱式支持体Ｂと共に支持体Ａを着脱式にすることで、パーツの選択肢が広がることで柔軟性のあるデザインが可能となる。
【００２４】
開示する多機能型石鹸容器は、収納した石鹸のぬめりの発生が抑制されて石鹸が乾き易くなるので、石鹸を掴んだときの感触が良い。また、石鹸収納部がぬめりで汚れ難くなるので手入れが楽になる。さらに、無駄なぬめりが防げるので石鹸を経済的に使うことができる。
【００２５】
開示する多機能型石鹸容器は、通気の良い洗面台であれば石鹸を無造作に収納できる皿型石鹸容器としての使い易い使い方ができる。また、高価な石鹸を扱う場合や湿度の高いバスルームであれば皿型石鹸容器より乾き易い石鹸立てとしての慎重な使い方ができる。これにより、石鹸の使用目的や石鹸容器の設置環境に応じ、乾き易い収納機能を使用者が自由に選択することができる。
【図面の簡単な説明】
【００２６】
【図１】本実施の形態に係る多機能型石鹸容器の収納例１を示す斜視図である。
【図２】本実施の形態に係る多機能型石鹸容器の収納例２を示す斜視図である。
【図３】本実施の形態に係る多機能型石鹸容器の収納例３と収納例４とを示す斜視図である。
【図４】石鹸収納部５の平面図であり、構成する各部の配置を示す図である（各部の配置位置はＦ−Ｆ’を基準とした左右対称のセンター振り分けとなっている）。
【図５】図４のＥ−Ｅ’による石鹸収納部５の縦断面図である。
【図６】図４のＦ−Ｆ’による石鹸収納部５の縦断面図である。
【図７】着脱式支持体Ｂの外形図である。
【図８】図５の縦断面図の石鹸収納部５にバスサイズの大きな石鹸５３を収納した状態を示す縦断面図である（形成された換気用空間を斜線部７０で示す）。
【図９】多機能型石鹸容器の他の実施形態を示す斜視図である。
【発明を実施するための形態】
【００２７】
図１乃至８を用いて、本実施の形態に係る多機能型石鹸容器１を説明する。図１は、後述する収納例１の皿型石鹸容器１が正方形の石鹸５１を収納した状態を示す斜視図である。
【００２８】
図中１は石鹸容器であり、５１は正方形の石鹸を示す。石鹸容器１は、水受け皿２と石鹸受け皿３とを備え、石鹸受け皿３は石鹸収納部５を有する。図４は、石鹸収納部５の平面図であり、構成する各部の配置を示している。各部の配置位置はＦ−Ｆ’を基準とした左右対称のセンター振り分けとなっている。石鹸収納部５は、着脱式支持体Ｂ３０の装着用の装着部７ａ〜７ｄ、支持体Ａ２０ａ〜２０ｄ、溝９、水抜き穴１０を備え、合成樹脂によって一体成型される。
【００２９】
図７で着脱式支持体Ｂ３０を示す。本実施形態に係る石鹸容器１は、石鹸収納部５に配置した支持体Ａ２０ａ〜２０ｄ及び着脱式支持体Ｂ３０によって、収納された石鹸と石鹸収納部５との間に換気用空間を形成する。図８でその一例を示す。
【００３０】
図８は、図４のＥ−Ｅ’による石鹸収納部５の縦断面図であり、破線で示すバスサイズの大きな石鹸５３を収納した状態を示す図である。石鹸収納部５に石鹸５３を収納すると、石鹸収納部５に配置した支持体Ａ２０ａ〜２０ｄが石鹸５３を持ち上げながら支えるので、石鹸５３外周と容器外縁との間には通気に支障の無い隙間Ｗ８が形成され、石鹸５３は石鹸収納部５の傾斜面６に接触しない。これにより、収納された石鹸５３の下面と石鹸収納部５との間に換気用空間が形成される。
【００３１】
形成された換気用空間を７０の斜線部で示す。ここで換気用空間７０とは、収納された石鹸本体及び石鹸から発生するぬめりや水滴によって閉塞されない空間であり、また石鹸収納部５の壁面や配置された突起等の障害物によって閉塞されない空間であって、収納した石鹸と石鹸収納部５との間の自然換気を行なうという作用が働く。なお、換気用空間７０の形状は収納する石鹸の形状と後述する収納例の違いによって多様に変化するため、以下図面による記述は省略する。
【００３２】
図４で示す石鹸収納部５は上面が開口し、平面視において略楕円に形成され、図６の石鹸収納部５の縦断面で示すように、底部の中央部分が低くなる傾斜を有する漏斗状に形成されている。収納した石鹸から滴下した水滴はこの傾斜により水抜き穴に導かれる。図４で示す開口部の大きさは、設置場所と持ち運びに違和感が無いように配慮して、市販の石鹸容器に多い長手１２０×短手９０ミリとした。
【００３３】
図８で示すように、従来通りの上記開口部の大きさで、バスサイズの大きな石鹸５３を含む様々な形状の石鹸を収納しても、石鹸外周と開口部との間に通気に支障の無い隙間Ｗ８を保つ。また、この隙間は大きな石鹸５３を出し入れし易いという作用を発揮する。
【００３４】
図８で示す石鹸収納部５の開口部上端の高さは、支持体Ａ２０ａ〜２０ｄの頂点より僅かに高いＨ１となっている。これは、支持体Ａ２０ａ〜２０ｄ上に石鹸５３を収納する際、支持体Ａ２０ａ〜２０ｄに石鹸５３を置き損なった場合、又は収納された石鹸５３が傾いて位置ずれを起こした場合、石鹸収納部５の上端周縁部は、石鹸５３が床に落下しないように受け止める受け皿として働く。
【００３５】
図４で示す装着部７ａ及び７ｂの対は石鹸収納部５の中心を通る底部長手方向に配置され、装着部７ｃ及び７ｄの対は石鹸収納部５中心を通る上端周縁部短手方向に配置されている。装着部７ａ及び７ｂの対は、図２で示す石鹸５２を立てて収納する機能で着脱式支持体Ｂ３０を装着する際に使用する。装着部７ｃ及び７ｄの対は図３で示す石鹸５３を斜めに立てて収納する機能で着脱式支持体Ｂ３０を装着する際に使用する。従って、装着部７ａ及び７ｂ、７ｃ及び７ｄの各対の間隔は、図７で示す着脱式支持体Ｂ３０の両端の巾と等しいＷ３となっている。
【００３６】
各装着部７ａ〜７ｄの口径は、図７で示す着脱式支持体Ｂ３０の太さＮの着脱ができる所定の寸法とする。各装着部７ａ〜７ｄの角度は着脱式支持体Ｂ３０が石鹸収納部５に対して垂直に装着できる角度とする。各装着部７ａ〜７ｄの内部形状は上記着脱口径と同径の竪穴状とする。
【００３７】
図５は、図４のＥ−Ｅ’による石鹸収納部５の縦断面図である。装着部７ａ及び７ｂの対の穴の深さＤ２は、破線で示す装着された着脱式支持体Ｂ３０の主支持部３２の湾曲部３１が溝９を通って水抜き穴１０にはみ出す所定の深さＤ１を成す寸法とする。これは、図２で示す石鹸立ての機能として石鹸５２を収納する際に、立てかけて収納した石鹸５２に対して前記湾曲部３１が障害とならない深さである。
【００３８】
図６は、図４のＦ−Ｆ’による石鹸収納部の縦断面図である。装着部７ｃ及び７ｄの対の穴の深さＤ３は、図３で示す石鹸５３を斜めに立てて収納する際に、図６の破線で示す装着された着脱式支持体Ｂ３０の主支持部３２に斜めに立てかけて収納した石鹸５３に対し、支持体Ａ２０ａ〜２０ｄが邪魔をしないように主支持部３２の所定の高さＨ２を成す寸法とする。図４で示す複数の支持体Ａ２０ａ〜２０ｄは、従来の石鹸受け皿に替わって収納した石鹸を支える。
【００３９】
支持体Ａ２０ａ〜２０ｄの形状と配置数は以下に述べる理由により決定される。濡れた石鹸の表面は短時間に軟らかく削られ易くなるが、石鹸内部まで水が染み込んで全体がふやける迄には一定の時間を要する。石鹸内部は水に侵食されない限り一定の硬さを保っている。また、石鹸の表面は室内の湿度や風通しに応じて取り込んだ水分を発散することで元の硬さに戻る能力も有する。従って、石鹸が削られて出る石鹸カスを抑えて収納するためには、石鹸内部の硬度に見合った最小の接触面を持つ支持体を数少なく配置することで、軟らかくなった石鹸の表面には極力触れずに、石鹸の表面を速く乾かして元の硬さに戻すことが望ましい。
【００４０】
本実施形態において支持体Ａ２０ａ〜２０ｄは、緩やかな曲面を持つ半球面体形状とし、配置数を４個とした。これにより、収納される石鹸を小さな面積で支えるとともに、石鹸収納時に位置ずれを起こした場合にも石鹸が削られ難くなり、石鹸カスの発生を抑制する。また、石鹸が貼り付いても楽に剥れる。さらに、球面形状は石鹸収納部５の傾斜を伝って落ちてくる水滴を堰き止め難いという効果を奏する。
【００４１】
図８で示す支持体Ａ２０ａ〜２０ｄの頂点の高さは石鹸収納部５の開口部上端に近いＨ１になっている。これにより、支持体Ａ２０ａ〜２０ｄが石鹸５３の下面を石鹸収納部５の開口部上端近くまで持ち上げて支える。前述の通り、収納された石鹸５３外周と開口部上端との間には通気に支障の無い間隔Ｗ８を保つ。これにより石鹸５３を石鹸収納部５の傾斜面６に接触させずに収納できる。このように収納された石鹸５３は、下面を除くほぼ全体が外気に触れることとなる。
【００４２】
図４で示す支持体Ａ２０ａ〜２０ｄ４箇所の配置間隔Ｗ１は石鹸カスや水滴で目詰まりしない距離があり、開口部には通気に支障の無い間隔Ｗ８があり、収納された石鹸下面と石鹸収納部５の間には広い空間が形成されているために、図８で示す換気用空間７０が形成される。
【００４３】
図４で示す支持体Ａ２０ａ〜２０ｄの配置位置は、平面視において各頂点がＷ１の間隔を持つ破線で示す正四角形Ｓの各角を結ぶ位置に４箇所配置した。上記配置位置は収納される石鹸の外周部より内側の重心を囲むとともに前記石鹸の重量を均等に受け止める位置である。これは以下に述べる理由による。
【００４４】
市販されている石鹸の形状は様々だが、重心が石鹸本体の中央付近に有る点が共通している。これは、使用者が手で持って使うため、重心が偏っていると手から滑り落ちてしまい、使い難いからである。従って、収納する石鹸の中央付近で、かつ収納する石鹸の重量を均等に振り分けた位置に支持体を配置することにより、大きな石鹸から小さな石鹸まで多様な形状を持つ石鹸の下面を安定して支えることができる。
【００４５】
例えば上記の配置の他、正三角形の各頂点に支持体Ａを配置することも考えられる。本実施形態の場合、開口部の大きさは従来と変わらないので、多様な形状を有する石鹸を石鹸収納部５に置くと、石鹸の重心位置は石鹸収納部５の中心近くになっているため、配置した支持体Ａ２０ａ〜２０ｄの頂点を結ぶ正四角形Ｓの範囲内に収まる。これにより、多様な形状を有する石鹸の下面を安定して支えることができる。
【００４６】
また、支持体Ａ２０ａ〜２０ｄの各頂点の間隔Ｗ１は、図５の破線で示す着脱式支持体Ｂ３０装着時の主支持部３２の有効支持巾Ｗ４より内側になるように配置している。これは、図２で示すように着脱式支持体Ｂ３０を装着部７ａ及び７ｂに装着して主支持部３２に石鹸５２を立てて収納した場合、支持体Ａ２０ａ〜２０ｄが収納した石鹸５２下部の位置ずれを防ぎながら持ち上げて支える固定具としての作用を発揮させるためである。これにより、立てて収納した石鹸５２の下面と石鹸受け皿の間に換気用空間７０が形成される。
【００４７】
また、図１で示す皿型石鹸容器１が石鹸を収納する場合は、上述の図４で示す一辺の長さがＷ１の正四角形Ｓの大きさまでの石鹸を支持体Ａ２０ａ〜２０ｄ上に置けることになる。仮に、図５の破線で示す着脱式支持体Ｂ３０の主支持部３２の有効支持巾Ｗ４の寸法を、図３で示す大きなバスサイズの石鹸５３の厚みＨ３にすると、Ｗ１一片の長さが主支持部３２の有効支持巾Ｗ４より少し短い図４で示す正四角形Ｓまでの大きさの石鹸を支持体Ａ２０ａ〜２０ｄに置けることになる。
【００４８】
上記まで使い込んで小さくなった石鹸の多くは、厚みがなくなって折れ易くなっているので、新しい石鹸に貼り付けて使う方が使い易い。または、後述の図３で示す複数の石鹸を立てて収納する石鹸立ての収納例４の機能で収納することもできる。
【００４９】
また、図４に示す支持体Ａの外側周縁部間の距離は、図５の破線で示す着脱式支持体Ｂ３０の左右にある∩型部内側間の距離と等しいＷ２である。これは、図３で示すように複数の石鹸を立てて収納する場合であって、使い込んで小さくなった石鹸５４を副支持部３３に差し込んで立てかけて収納する場合に、支持体Ａの外側周縁部が差し込んだ石鹸５４の下側を支えて位置ずれを防ぐ固定具として働くからである。
【００５０】
本実施形態において図３で示す着脱式支持体Ｂ３０の副支持部３３対して、支持体Ａの外側周縁部は２０ｂ及び２０ｄの２箇所あるが、本来はどちらかの１箇所があれば副支持部３３に差し込んだ石鹸を支えられる。すなわち、図４で示す正四角形Ｓの大きさまで使い込んで小さくなった石鹸は、図３で示す着脱式支持体Ｂ３０の副支持部３３に立てて収納することで、支持体Ａ２０ｂ又は２０ｄのどちらか１箇所の有効支持範囲内でさらに小さくなるまで使うことができる。
【００５１】
図４で示す石鹸収納部５の底部中央には長手方向に形成された長円形の溝９を配置している。図２で示すように、この溝９は、装着部７ａ及び７ｂに着脱式支持体Ｂ３０を装着した場合、図５の破線で示す主支持部３２の湾曲部３１全体が溝９に収納できる深さＤ１を有すると共に、石鹸収納部５の傾斜によって落ちてきた水滴を溝９に集めて、水抜き穴１０から円滑に排出できるゆとりを備えた所定の長さＬ１と図６で示す巾Ｍを有する。
【００５２】
これにより、石鹸５２を支持体Ａ２０ａ〜２０ｄに立てて収納する際、湾曲部３１が障害とならないので、石鹸５２を安定して立てかけられる。また、石鹸収納部５の傾斜によって落ちてきた水滴の排出が速まる。さらに、ぬめりや石鹸カスで溝９が詰まった場合には装着した着脱式支持体Ｂ３０を抜き差しすることで詰まりを取ることができる。
【００５３】
図４に示す溝９の中央には溝９と同方向に延びた長穴形状の水抜き穴１０を配置する。この水抜き穴１０は、図２で示す装着部７ａ及び７ｂに着脱式支持体Ｂ３０を装着した場合、図５の破線で示す主支持部３２の湾曲部３１の一部が水抜き穴１０内にはみ出るとともに、溝９から流れてきた水滴を円滑に排出できるゆとりを備えた所定の長さＬ２と図６で示す巾Ｍを持つ。この水抜き穴１０の寸法は、水滴を円滑に排出させる必要最小限の大きさになっている。これにより、水受け皿２内に溜まった水が蒸発し難くなり、水抜き穴１０から逆流する水蒸気を減少させ収納された石鹸５２下面の乾燥を促進する。また、ぬめりや石鹸カスで水抜き穴が詰まった場合、装着した着脱式支持体Ｂ３０を抜き差しすることで詰まりを取ることができる。
【００５４】
図７は着脱式支持体Ｂ３０の外形図である。着脱式支持体Ｂ３０は円断面形状の合成樹脂又は金属線等の、収納される石鹸の重量を支える強度を有し、また、石鹸が削られ難い太さＮを持つ材料によって形成される。着脱式支持体Ｂ３０は枠によって構成され、収納した石鹸の換気を妨げないという効果を奏する。
【００５５】
また、収納した石鹸に接触する面積が小さいため、収納した石鹸が削られて出る石鹸カスの発生を抑制するとともに、石鹸が貼り付いても楽に剥れる。着脱式支持体Ｂ３０の全体形状は、望ましくは石鹸収納部５に立てて収納する石鹸の障害とならない曲線から構成され、一体で着脱できれば使い易い。
【００５６】
本実施形態における着脱式支持体Ｂ３０は鋭角部分のない緩やかな曲線からなる略Ｍ字形状とした。これは、石鹸収納時や取り出し時に着脱式支持体Ｂ３０に石鹸が突き当たっても削られ難くするためである。
【００５７】
図７で示す着脱式支持体Ｂ３０のＭ字の両端部３７ａ及び３７ｂを図４で示す装着部７ａ及び７ｂ、７ｃ及び７ｄの各対に挿入することで、石鹸収納部５に対して垂直に立てて使用する。着脱式支持体Ｂ３０のＭ字両端部分Ｗ３の間隔は、図４で示す石鹸収納部５の上端周縁部短手方向に装着できる巾とした。前記間隔Ｗ３は以下に述べる主支持部３２と副支持部３３の石鹸支持部の有効支持巾Ｗ４とＷ５を満足してゆとりを備える寸法である。
【００５８】
図７で示す着脱式支持体Ｂ３０は、立てて収納した石鹸が倒れないように石鹸側面を支える主支持部３２と副支持部３３を備える。主支持部３２は略Ｍ字形状の着脱式支持体Ｂ３０のＭ字型の中間部に位置するＵ型の箇所で、バスサイズの大きな石鹸や、立てると転がり易い円形の石鹸の側面を支え、かつ石鹸収納時と取り出し時のゆとりを考慮し所定の有効支持巾Ｗ４を有する。
【００５９】
また、図３で示すように、主支持部３２のＵ型形状の湾曲部３１は、着脱式支持体Ｂ３０を装着部７ｃ及び７ｄに取り付けて、主支持部３２の位置を高くして石鹸５３を斜めに立てて収納する際、石鹸下部を支える。
【００６０】
副支持部３３は、図７で示す着脱式支持体Ｂ３０の略Ｍ字形状の左右頂点の高い方３６に位置する∩型の箇所で、図３に示すように、使い切りミニサイズや使い込んで小さくなった石鹸５４の側面を支え、かつ図７で示す石鹸５４収納時と取り出し時のゆとりを考慮し所定の有効支持巾Ｗ５と所定の高さＰを有する。
【００６１】
副支持部３３の高さＰは、望ましくは図４で示す皿型石鹸容器での支持体Ａ２０ａ〜２０ｄの有効支持範囲Ｗ１を見込んだ寸法とする。本実施形態において、着脱式支持体Ｂ３０のＭ字型の二つの頂点３５と３６の内、一方の頂点３５は他方の副支持部の頂点３６より低くしてある。これは、石鹸５３収納時や取り出し時に一方の頂点３５が石鹸に突き当たらないようにするためである。
【００６２】
仮に、頂点３５をもう一方の副支持部の頂点３６と同じ高さで揃えれば、複数の副支持部が構成されるので、石鹸を二つ収納できることになるが、本実施形態では収納量より使い易さを優先している。
【００６３】
（本実施の形態に係る多機能型石鹸容器の作用について）
以下、上記のように構成された石鹸容器１の作用を機能別に説明する。
（１）収納例１：皿型石鹸容器としての作用（図１参照）
大きなサイコロ型の石鹸５１を石鹸収納部５の支持体Ａ２０ａ〜２０ｄ上に置くと、石鹸５１の下面が石鹸収納部５の開口部近くまで持ち上げられて収納される。石鹸５１を置き損なった時は、石鹸収納部５の上端周縁部が受け止める。また、石鹸５１は石鹸収納部５に直接接触させずに収納される。収納された石鹸５１の下面を除くほぼ全体が石鹸収納部５の外になり、外気に触れて乾き易くなっている。
【００６４】
石鹸収納部５の略長円形状の開口部の大きさには十分なゆとりがあるため、収納された石鹸５１と石鹸収納部５の上端周縁部には自然換気のための隙間Ｗ８ができる。また、この隙間Ｗ８の作用で石鹸５１の出し入れが楽になる。このように収納された石鹸５１下面と石鹸収納部５の間には広い空間が形成されている。また、図４で示す支持体Ａ２０ａ〜２０ｄ同士の間隔Ｗ１は、石鹸カスや水滴で目詰まりしない距離を保っている。これにより、収納された石鹸５１下面には換気用空間７０が形成されるので、自然換気が円滑になる。
【００６５】
石鹸５１から滴下した水は石鹸収納部５の漏斗状の傾斜により溝９に流れ落ちて、水抜き穴１０によって円滑に排出される。また、小さな水抜き穴１０によって水受け皿２から逆流する蒸気の量も抑えられると共に、水受け皿２内に溜まった水の蒸発も抑えられる。
【００６６】
支持体Ａ２０ａ〜２０ｄの半球面の形状が持つ緩やかな曲面は、収納される石鹸５１を小さな面積で支えるとともに、石鹸５１収納時に置き損なって位置ずれを起こした場合には石鹸５１が削られ難くなり、石鹸カスの発生を抑制する。また、石鹸５１が貼り付いても楽に剥れる。
【００６７】
さらに、支持体Ａ２０ａ〜２０ｄの半球面の形状は石鹸収納部５の漏斗状の傾斜を伝って落ちてくる水滴を堰き止め難いという効果を奏する。支持体Ａ２０ａ〜２０ｄ４箇所は収納される石鹸５１の重心を囲むと共に石鹸５１の重量を均等に受け止める位置に配置されている。石鹸５１を石鹸収納部５に置くと、石鹸５１の重心位置が石鹸収納部５の中心近くになり、図４で示す支持体Ａ２０ａ〜２０ｄの頂点を結ぶ正四角形Ｓの範囲内に収まる。これにより、円形や大きなサイコロ型の石鹸や、球体等の特殊な形状も含めた多様な形状を持つ石鹸は、皿型石鹸容器の収納機能で乾き易く寝かせて収納できる。
【００６８】
（２）収納例２：石鹸立てとしての作用（図２参照）
着脱式支持体Ｂ３０は枠で構成されているため、石鹸５２周囲の換気の障害とならないと共に収納した石鹸５２に接触する面積が小さいため、収納した石鹸５２が削られて出る石鹸カスの発生を抑制する。また、石鹸５２が貼り付いても楽に剥れる。
【００６９】
また、図７で示す着脱式支持体Ｂ３０のＭ字型の二つの頂点３５と３６の内、一方の頂点３５は他方の副支持部の頂点３６より低くしてあるので、石鹸５２収納時や取り出し時に一方の頂点３５が石鹸に突き当たらない。
【００７０】
着脱式支持体Ｂ３０を石鹸収納部５の長手方向底部にある装着部７ａ及び７ｂの対に挿し込むと、石鹸収納部５に対して垂直に固定されると共に主支持部３２の湾曲部３１が石鹸収納部５の溝９を通って水抜き穴１０にはみ出て納まる。ぬめりや石鹸カスで溝９や水抜き穴１０が詰まった場合には装着した着脱式支持体Ｂ３０を抜き差しすることで詰まりを取ることができる。
【００７１】
主支持部３２に円形の石鹸５２側面の中央部を立てかけ、石鹸５２下部を支持体Ａ２０ａ〜２０ｄ上に置くと、支持体Ａ２０ａ〜２０ｄが前後両側から石鹸５２下面を持ち上げながら挟みこんで支える固定具として働くので、石鹸５２の重量を均等に受け止めると共に、滑り易い石鹸５２の位置ずれを防ぐ。これにより、立てて収納した石鹸５２の支持体Ａ２０ａ〜２０ｄに持ち上げられた下面を含む石鹸５２周囲と石鹸収納部５との間に、換気用空間７０が形成され、石鹸５２が乾き易くなる。
【００７２】
石鹸５２から滴下した水は石鹸収納部５の漏斗状の傾斜により溝９に流れ落ちて、水抜き穴１０によって円滑に排出される。また、小さな水抜き穴１０によって水受け皿２から逆流する蒸気の量も抑えられるとともに、水受け皿２内に溜まった水の蒸発も抑えられる。上記した石鹸立ての機能で石鹸５２を収納することで、支持体Ａ２０ａ〜２０ｄと着脱式支持体Ｂ３０の主支持部３２の作用により収納した石鹸５２の広い面が立てられるので、上記収納例１と比較して、より水切れが良くなる。また、従来立てて収納することが困難だった円形の石鹸も安定して立てられる。
【００７３】
（３）収納例３：石鹸を斜めに立てて収納する石鹸立てとしての作用（図３参照）
着脱式支持体Ｂ３０は枠で構成されているため、石鹸５３周囲の換気の障害とならないと共に収納した石鹸５３に接触する面積が小さいため、収納した石鹸５３が削られて出る石鹸カスの発生を抑制する。また、石鹸５３が貼り付いても楽に剥れる。
【００７４】
また、図７で示す着脱式支持体Ｂ３０のＭ字型の二つの頂点３５と３６の内、一方の頂点３５は他方の副支持部の頂点３６より低いので、石鹸５３収納時や取り出し時に一方の頂点３５が石鹸に突き当たらない。着脱式支持体Ｂ３０の装着位置を変更し、石鹸収納部５の上端周縁部の短手方向にある装着部７ｃ及び７ｄの対に挿し込むと、着脱式支持体Ｂ３０が石鹸収納部５に対して垂直に固定されると共に、主支持部３２の湾曲部３１の位置が図６に示す支持体Ａ２０ａ〜２０ｄの頂点より所定の高さＨ２だけ高くなる。
【００７５】
大きなバスサイズの長方形や楕円形の石鹸５３の下部中央付近を着脱式支持体Ｂ３０の主支持部３２に挟み込むと、石鹸５３が左右どちらかに傾いて石鹸５３の下端部が石鹸収納部５に接触する。石鹸収納部５の漏斗状の傾斜によって、濡れた石鹸５３の下端部が滑ってバランスのとれた位置に収まるので、石鹸５３の中央部を持ち上げた状態で、斜めに傾けながら立てて置ける。斜めに立てた石鹸５３の下端部は石鹸収納部５に接触するが、接触面の面積は小さい。これにより、斜めに立てて収納した石鹸５３と石鹸収納部５との間に、換気用空間７０が形成される。
【００７６】
石鹸５３から滴下した水は石鹸収納部５の漏斗状の傾斜により溝９に流れ落ちて、水抜き穴１０によって円滑に排出される。また、小さな水抜き穴１０によって水受け皿２から逆流する蒸気の量も抑えられるとともに、水受け皿２内に溜まった水の蒸発も抑えられる。上記のように石鹸５３を斜めに立てて収納することで、着脱式支持体Ｂ３０の主支持部３２の作用により石鹸５３の広い面が立てられると共に石鹸５３全体が斜めに傾いているので、前記収納例２と比較して、より水切れが良くなる。
【００７７】
（４）収納例４：複数の石鹸を立てて収納する石鹸立てとしての作用（図３参照）
着脱式支持体Ｂ３０は枠で構成されているため、石鹸５４周囲の換気の障害とならないと共に、収納した石鹸５４に接触する面積が小さいため、収納した石鹸５４が削られて出る石鹸カスの発生を抑制する。また、石鹸５４が貼り付いても楽に剥れる。
【００７８】
石鹸収納部５に装着された着脱式支持体Ｂ３０の副支持部３３に小さい石鹸５４を挿入して立てかけると、副支持部３３が石鹸５４の側面を支え、支持体Ａ２０ｂと２０ｄの外側周縁部が石鹸５４下部の位置ずれを防ぐ固定具として働くので、石鹸５４を安定して立てて収納できる。また、小さくなった円形の石鹸も二つ折りにすることで立てて収納できる。
【００７９】
小さい石鹸５４は厚さも薄く、石鹸５４の下面は面積が小さいために、石鹸受け皿に密着した場合でもぬめりの発生は少量となる。これにより、立てて収納した石鹸５４の下面を除く周囲に、換気用空間７０が形成される。石鹸５４から滴下した水は石鹸収納部５の漏斗状の傾斜により溝９に流れ落ちて、水抜き穴１０によって円滑に排出される。また、小さな水抜き穴１０によって水受け皿２から逆流する蒸気の量も抑えられるとともに、水受け皿２内に溜まった水の蒸発も抑えられる。
【００８０】
副支持部３３に立てかけた石鹸５４は、支持体Ａ２０ｂ又は２０ｄのどちらか１箇所の有効支持範囲内でさらに小さくなるまで使うことができる。これにより、複数の石鹸を従来と同じサイズの石鹸容器の中で乾き易く立てて収納できる。
【００８１】
（本実施の形態に係る多機能型石鹸容器の効果について）
収納例１によれば、大きなサイコロ型の石鹸や球体等の特殊な形状も含めた多様な形状を有する石鹸は、皿型石鹸容器の収納機能で乾き易く寝かせて収納することができる。
【００８２】
収納例２によれば、サイコロ型や球体を除く、立てればより乾き易くなる石鹸は立てて収納することができる。特に、従来は転がってしまうために立てて収納することが困難だった円形の石鹸も安定して立てられる。ぬめりや石鹸カスで溝や水抜き穴が詰まった場合には装着した着脱式支持体Ｂを抜き差しすることで水抜き穴の掃除ができる。
収納例３によれば、湿度の高い浴室で使う大きなバスサイズの石鹸は特に乾き難いので、斜めに立てて収納すれば、より一層乾き易い。
【００８３】
収納例４によれば、複数の石鹸を従来と同じ大きさの石鹸容器の中に立てて収納できるため、洗面・トイレ・浴室一体型のユニットバスや団地の浴室等の狭い環境下では、収納スペースを節約する効果も奏する。また、高価な化粧石鹸は洗顔専用として使用し、使いかけの小さくなった石鹸は排水口に捨てたりせずに手洗い用として有効に使うなど、従来の皿型石鹸容器では困難だった用途別の使い分けが容易にできる。
【００８４】
収納例１乃至４の収納機能によれば、通気の良い洗面台であれば石鹸を無造作に収納できる従来通りの皿型石鹸容器としての使い易い使い方ができる。上記効果は従来の皿型石鹸容器に馴染んだ大多数の使用者にとって理解し易く、購入時の警戒心を和らげるという効果も付随する。
【００８５】
また、高価な石鹸を扱う場合や湿度の高いバスルームであれば皿型石鹸容器より乾き易い石鹸立てとしての慎重な使い方もできる。これにより、石鹸の使用目的や石鹸容器の設置環境に応じ、適切な収納機能を使用者が自由に選択することができる。
【００８６】
また、上記収納例によれば、まず、収納した石鹸のぬめりの発生が抑制されて石鹸が乾き易くなるので、石鹸を掴んだときの感触が良い。第二に、石鹸を容易に置けて、かつ取り出し易い。第三に、石鹸が各支持体や石鹸収納部に貼り付いても剥れ易い。第四に、石鹸収納部がぬめりや石鹸カスで汚れにくくなるので石鹸容器の手入れが楽になる。第五に、無駄なぬめりが防げるので石鹸を経済的に使える。第六に、水受け皿いっぱいに溜まった水を捨て忘れても、石鹸全体が水没することがないため、ふやけて溶けてしまう被害は一部分だけで済む。
【００８７】
また、上記収納例によれば、収納した石鹸を包み込むような壁が無く、石鹸全体を全方向から立体的に観られる。これにより、様々な角度から見ることのできるディスプレーケースとしての効果を奏する。
【００８８】
先にも述べた通り、デザイン石鹸やアロマソープ等の見た目や香りを楽しむ石鹸にみられるように、消耗品であるにもかかわらず装飾品と見紛うような石鹸は数多くある。従来の収納方法では、上からの１方向でしか見ることのできなかったこのような石鹸を、正面を向けて立てて置くこともできる。例えば、見た目にも鮮やかな高級石鹸を、ぬめりや型崩れもなく常にきれいな状態で保存できるため、最近の洗練されたデザインを備えたキッチンやバスルームを彩るアクセント代わりに飾ることもできる。
【００８９】
（他の実施形態）
図１で示す実施形態では、支持体Ａ２０ａ〜２０ｄは石鹸収納部５と一体で形成されていたが、他の実施形態では嵌め込み式の別パーツとすることもできる。これにより、色彩・形状・素材を自在に変えられるパーツの組み合わせによって、従来には無いバリエーション豊富で斬新な商品デザインもできる。材料を変更する場合は、材料の組み合わせ次第で石鹸容器の性能の向上が期待できる。
【００９０】
例えば、支持体Ａ２０ａ〜２０ｄを軟質ゴムまたはスポンジや発砲ウレタンにすれば、石鹸をより貼り付き難くし、又は削られ難くすることができる。また、嵌め込み式にした支持体Ａ２０ａ〜２０ｄや着脱式支持体Ｂ３０の各支持体は、単に色彩のみを変更するだけでも、通常色とメタリック・ラメ・クリアー系色の組合せや、艶消しと艶出しの組合せ等が自在に実施できるので、バラエティ豊かなデザインが可能となり、多数の付加価値を創りだすことが容易に出来る。例えば、支持体Ａと着脱式支持体Ｂを透明にすると、収納した石鹸が際立ってよく見える効果がある。
【００９１】
図１で示す実施形態では、石鹸収納部５は水受け皿２内に溜まった水から発生する水蒸気を遮断する隔壁としての作用を持たせるために、水抜き穴１０を持つ漏斗形状であったが、他の実施形態として壁面に設置する吸盤式石鹸容器や水受け皿の無い石鹸容器としてデザインする場合、ネット型や平皿型等、落下防止用の受け皿の作用だけを発揮する形状でも良い。
【００９２】
また、図１で示す実施形態では、支持体Ａ２０ａ〜２０ｄの形状は石鹸の形状維持を主目的としているために半球面体としたが、前記半球面体の石鹸との接触面は従来の皿型石鹸容器と比較した場合、収納した石鹸が滑り易くなっている。収納された石鹸の位置固定を主目的とする場合には、形状の変更が必要である。他の実施形態においては、図８で示すように換気用空間７０を形成するために必要な高さＨ１を有する支持体であれば形状は異なっても良い。例えば、円錐形や、石鹸の重心を中心とした所定の円周上をリング状に枠で囲んでも良い。
【００９３】
上記の形状は収納された石鹸の固定ができるので、濡れた石鹸を収納した石鹸容器を持って頻繁に移動する際や、振動の多い場所に設置する際には便利である。支持体Ａに接する周辺の石鹸は削られ易くなるが、支持体の数が少ないため、先に述べたおろし金的作用は軽減される。
【００９４】
図２及び図３で示した実施形態においては、着脱式支持体Ｂ３０の全体形状は略Ｍ字形状であったが、他の実施形態においては次のような形状例が考えられる。例えば、枠の両端を装着部に差し込んで固定する形式であれば、∩型が考えられる。また、枠の一端を装着部に差し込んで固定する形式であれば、Ｎ型やI型が考えられる。どれも主支持部および副支持部は一体となってそれぞれの着脱式支持体Ｂに備わる。上記他の実施形態の一例を図９に示す。
【００９５】
図９中の符号３９で示すように着脱式支持体Ｂの全体形状を∩型にすることで、石鹸収納部を簡素化し、前記収納例３に記述した石鹸を斜めに立てる機能は省いている。また、図２及び図３で示す実施形態では、石鹸収納部５に装着した着脱式支持体Ｂ３０は抜け易くなっているが、他の実施形態では、着脱式支持体Ｂの両端部をカギ状に曲げて、石鹸収納部の装着部に差し込んでロックする等、抜け難いデザインとしても良い。
【００９６】
Ｍ型や∩型形状の着脱式支持体Ｂは、隙間に指が入りやすいハンドルを兼ねる形状になっているので、石鹸収納部５に装着された着脱式支持体Ｂをハンドル代わりに片手で持って、石鹸を立てたまま石鹸受け皿を移動することができる。これにより、手の小さい女性でも水受け皿に溜まった水を捨て易くなる効果を奏する。
【００９７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００９８】
１  石鹸容器、２  水受け皿、３  石鹸受け皿、５  石鹸収納部、６  石鹸収納部の傾斜面、７ａ〜７ｄ  装着部、９  溝、１０  水抜き穴、２０ａ〜２０ｄ  支持体Ａ、３０  着脱式支持体Ｂ、３１  着脱式支持体Ｂの主支持部の湾曲部、３２  着脱式支持体Ｂの主支持部  ３３  着脱式支持体Ｂの副支持部、３５  着脱式支持体Ｂの副支持部の低い頂点、３６  着脱式支持体Ｂの副支持部の高い頂点、３７ａ〜３７ｂ  着脱式支持体Ｂの両端部、３９  図９の他の実施形態に示す、∩型にした着脱式支持体Ｂ、５１  正方形の石鹸、５２  円形の石鹸、５３  バスサイズの大きな石鹸、５４  小さくなった石鹸、７０  換気用空間、Ｄ１  主支持部３２の湾曲部３１が溝９を通って水抜き穴１０にはみ出す所定の深さ、Ｄ２  装着部７ａ及び７ｂの深さ、Ｄ３  装着部７ｃ及び７ｄの深さ、Ｈ１  支持体Ａの頂点と石鹸収納部５の開口部上端周縁の高さの差、Ｈ２  斜めに立てて収納した石鹸５３に対し、支持体Ａ２０ａ〜２０ｄが障害とならない着脱式支持体Ｂ３０の主支持部３２の湾曲部３１の所定の高さ、Ｈ３  バスサイズの石鹸５３の厚み、Ｌ１  溝９の長さ、Ｌ２  水抜き穴１０の長さ、Ｍ  溝９と水抜き穴１０の巾、Ｎ  着脱式支持体Ｂ３０の太さ、Ｐ  着脱式支持体Ｂ３０の副支持部３３の高さ、Ｗ１  支持体Ａの各頂点の間隔、Ｗ２  支持体Ａの外側周縁部間の距離、Ｗ３  着脱式支持体Ｂ３０の両端の巾、Ｗ４  着脱式支持体Ｂ３０の主支持部３２の有効支持巾、Ｗ５  着脱式支持体Ｂ３０の副支持部３３の有効支持巾、Ｗ８  石鹸５３外周と容器外縁との間の隙間
【図１】
0005626857.tif 000002
【図２】
0005626857.tif 000003
【図３】
0005626857.tif 000004
【図４】
0005626857.tif 000005
【図５】
0005626857.tif 000006
【図６】
0005626857.tif 000007
【図７】
0005626857.tif 000008
【図８】
0005626857.tif 000009
【図９】
0005626857.tif 000010